(57)【要約】      （修正有）【課題】ユーザーに応じてマッサージ力を調節できる調節可能な脚底マッサージ靴を提供する。【解決手段】主として、靴体の内側の底部に靴パッド２０が設けられ、靴パッドの上面の前段に一連のマッサージ突出２１が一体形成され、靴パッドの後段に上端に伸縮柱２８を有するマッサージ体を嵌設するための一連の嵌設穴２２が形成されている。また、靴パッドの後段に更に調整パッド３０が貼り覆われ、当該調整パッド上に複数のマッサージ体に対応する貫通穴３５が形成され、調整パッドが靴パッドの後段の上面に貼り覆われると、マッサージ体の伸縮柱２８の上端だけが調整パッドから突出する。【選択図】図５
0003118542.tif 000002
【実用新案登録請求の範囲】
【請求項１】
主として、靴体、靴パッド、一連のマッサージ体及び調整パッドからなり、
靴底状である靴体は、上面に、脚型に対応する靴体内面が形成され、また、当該靴体の当該靴体内面に嵌設される靴パッドは、表面に、脚底線形に対応する曲線が形成され、前段の上面に複数のマッサージ突出が一体形成され、また、後段に、当該マッサージ体を嵌設するための一連の嵌設穴が形成され、
当該マッサージ体は、上面に、上下へ伸縮できる伸縮柱が設けられ、
また、当該靴パッドの後段に位置する調整パッドは、表面に、それぞれ、当該マッサージ体の当該伸縮柱に対応する複数の貫通穴が形成され、当該伸縮柱の上端が、やや調整パッドの表面から突出する、
ことを特徴とする調節可能な脚底マッサージ靴。
【請求項２】
当該靴体は、当該靴体内面の周りに、当該靴パッドを嵌設するための堤防状の縁が形成される、ことを特徴とする請求項１に記載の調節可能な脚底マッサージ靴。
【請求項３】
当該マッサージ体は、上、下部に、それぞれ、当該マッサージ体を当該靴パッド上に固定するための直径がやや大きい上錐縁と下錐縁が形成される、ことを特徴とする請求項１や２に記載の調節可能な脚底マッサージ靴。
【考案の詳細な説明】
【技術分野】
【０００１】
本考案は、マッサージ靴のマッサージ力調節の技術手段に関し、主として、マッサージ体の周りに厚さを調節できる調整パッドの構造を形成する。
【背景技術】
【０００２】
従来から、医学上では、脚底に、多数の人体器官と関連する穴道があると分かって、適当に脚底に対してマッサージすると、身体の健康を促進することを信じ、また、マッサージ効果を向上できる様々な考案が登場した。
【０００３】
従来のマッサージ靴の設計は、そのマッサージ効果を強調するが、実用上、マッサージ靴は、そのマッサージ体を、対応する脚底の反射域に突入することにより、刺激作用が発生し、短時間に使用する場合、一般のユーザーがほぼ忍耐できるが、ユーザーが長時間に立つように使用する場合、マッサージ体が長時間に反射域に突入することにより、脚底が痛まれ、ユーザーが極大な不快になり、そのため、一般の、長時間に立つや歩くことが必要である場合、ユーザーがマッサージ靴を脱いで不快を解消しなければならなく、しかしながら、脚底マッサージが、長時間にマッサージしないと、効果を発揮できず、そのため、既存のマッサージ靴に解決しなければならない問題がある。
【考案の開示】
【考案が解決しようとする課題】
【０００４】
本考案の主な目的は、構造が簡単で、マッサージ力を緩和でき、ユーザーが長時間に使用でき、マッサージ効果が向上される、調節可能な脚底マッサージ靴を提供する。
【課題を解決するための手段】
【０００５】
主として、靴体の内側の底部に靴パッドが設けられ、靴パッドの上面の前段に、一連のマッサージ突出が一体形成され、また、靴パッドの後段に、上端に伸縮柱を有するマッサージ体を嵌設するための一連の嵌設穴が形成され、これにより、ユーザーの脚底の線形に合わせて、体重の重量によりマッサージ作用が得られ、また、靴パッドの後段に、更に調整パッドが貼り覆われ、当該調整パッド上に、複数のマッサージ体に対応する貫通穴が形成され、調整パッドが靴パッドの後段の上面に貼り覆われると、マッサージ体の伸縮柱の上端だけが調整パッドから突出し、これにより、伸縮柱が脚底へ突入した深さが低減され、このように、段階差の変更で、有効的にマッサージ力が緩和されて、ユーザーが既存のマッサージ靴を長時間に履けない欠陥を解消でき、そのため、ユーザーが履き時間に合わせてマッサージ力を調節でき、ユーザーの健康を促進できる。
【考案を実施するための最良の形態】
【０００６】
本考案に係わる調節可能な脚底マッサージ靴は、構造が簡単で、図１のように、主として、靴体10、靴パッド20、一連のマッサージ体25及び調整パッド30とからなり、マッサージ体25を有する靴パッド20を、靴体10上に置き、調整パッド30が靴パッド20の後段に覆うようになる。
【０００７】
図１乃至４を参照しながら、本考案のより良い特徴構造は、靴底状である靴体10において、上面に脚型に対応する靴体内面11が形成され、また、靴体内面11の周りに、靴パッド20を嵌設するための堤防状の縁15が形成され、また、当該靴パッド20は、表面が、脚底の線形に対応する曲線状であり、そして、前段の上面に、多数のマッサージ突出21が形成され、当該マッサージ突出21は、ユーザーの脚底の前段にある反射穴道に対応し、当該靴パッド20の上面に一体形成される。
【０００８】
また、当該靴パッド20は、後段に一連の嵌設穴22が形成され、各嵌設穴22が脚底にある反射穴道に対応し、マッサージ体25が、対応する嵌設穴22に嵌設され、また、当該マッサージ体25は、上、下部に、それぞれ、マッサージ体25を靴パッド20上に固定するための直径がやや大きい上錐縁26と下錐縁27が形成され(図３のように)、上面に、ユーザーの脚底に対してマッサージするための、上下へ伸縮できる伸縮柱28が設けられ、また、当該靴パッド20の後段に覆われる調整パッド30は、表面に、それぞれに当該マッサージ体25の当該伸縮柱28に対応する複数の貫通穴35が形成され、これにより、当該貫通穴35から伸縮柱28の上端が、少しだけ調整パッド30の表面より突出し(図５のように)、これにより、当該マッサージ体25の伸縮柱28が脚底に突入する深さが低減され、
これにより、構造が簡単で、必要に応じて調節出来る調節可能な脚底マッサージ靴が実現される。
【０００９】
実用上、図３から５を参照しながら、ユーザーが、一般の短時間に履く時や強いマッサージ効果が必要する時、調整パッド30を使用せず、直接に使用すると、靴パッド20上のマッサージ体25の底部が靴体10の靴体内面11に抵当して、当該マッサージ体25の伸縮柱28が脚底に突入して、マッサージ効果が得られ、
逆に、長時間に履く時やマッサージ力を低減したい時、当該調整パッド30を当該靴パッド20の後段表面に覆うことにより、当該マッサージ体25の伸縮柱28がやや当該調整パッド30の上面から突出し、そのため、当該伸縮柱28が脚底に突入する深さが低減されることにより、マッサージ力が緩和されて、長時間に履く時の不快を解消する。
【図面の簡単な説明】
【００１０】
【図１】本考案の立体分解の概念図
【図２】本考案の立体外観の概念図
【図３】本考案の断面概念図
【図４】本考案において調整パッドを使用する時の外観概念図
【図５】本考案において調整パッドを使用する時の断面概念図
【符号の説明】
【００１１】
10     靴体
11     靴体内面
15     縁
20     靴パッド
21     マッサージ突出
22     嵌設穴
25     マッサージ体
26     上錐縁
27     下錐縁
28     伸縮柱
30     調整パッド
35     貫通穴
【図１】
0003118542.tif 000003
【図２】
0003118542.tif 000004
【図３】
0003118542.tif 000005
【図４】
0003118542.tif 000006
【図５】
0003118542.tif 000007